(57)【要約】【課題】カメラ付き携帯電話等の携帯端末装置にユーザの画像の観察条件やユーザの好みに応じた画質の画像を表示する。【解決手段】画像表示の基準となる標準画像データＮ０を液晶モニタ１４に表示し、これに対してカメラ付き携帯電話１のユーザが補正を行って補正標準画像データＮ１を得る。補正標準画像データＮ１に基づいてキャリブレーション条件算出手段１５において液晶モニタ１４のキャリブレーション条件Ｃ０を算出する。算出されたキャリブレーション条件Ｃ０に基づいてキャリブレーション手段１６により液晶モニタ１４のキャリブレーションを行う。【選択図】　　　　　図１
2004120396.tif 000002
【特許請求の範囲】
【請求項１】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
前記表示手段に画像表示の基準となる標準画像を表示し、該標準画像に対する画質の調整結果を表す調整情報を生成し、該調整情報に基づいて算出されたキャリブレーション条件に基づいて、前記表示手段のキャリブレーションを行うキャリブレーション手段をさらに備えたことを特徴とする携帯端末装置。
【請求項２】
前記標準画像を表す標準画像データを記憶する記憶手段と、
前記調整情報に基づいて前記キャリブレーション条件を算出するキャリブレーション条件算出手段とをさらに備えたことを特徴とする請求項１記載の携帯端末装置。
【請求項３】
前記通信手段は、外部装置から送信された前記標準画像を表す標準画像データの受信、前記調整情報の前記外部装置への送信、該外部装置において算出された前記キャリブレーション条件を受信する手段であることを特徴とする請求項１記載の携帯端末装置。
【請求項４】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置のキャリブレーション方法において、
前記表示手段に画像表示の基準となる標準画像を表示し、
該標準画像に対する画質の調整結果を表す調整情報を生成し、
該調整情報に基づいて算出されたキャリブレーション条件に基づいて、前記表示手段のキャリブレーションを行うことを特徴とするキャリブレーション方法。
【請求項５】
前記携帯端末装置が、前記標準画像を表す標準画像データを記憶する記憶手段と、前記調整情報に基づいて前記キャリブレーション条件を算出するキャリブレーション条件算出手段をさらに備えてなり、
前記記憶手段に記憶された標準画像データに基づいて前記標準画像データを表示し、
前記調整条件に基づいてキャリブレーション条件を算出することを特徴とする請求項４記載のキャリブレーション方法。
【請求項６】
外部装置から送信された前記標準画像を表す標準画像データを受信し、
前記調整条件を前記外部装置へ送信し、
前記外部装置において算出された前記キャリブレーション条件を受信することを特徴とする請求項４記載のキャリブレーション方法。
【請求項７】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置のキャリブレーション方法をコンピュータに実行させるためのプログラムにおいて、
前記表示手段に画像表示の基準となる標準画像を表示する手順と、
該標準画像に対する画質の調整結果を表す調整情報を生成する手順と、
該調整情報に基づいて算出されたキャリブレーション条件に基づいて、前記表示手段のキャリブレーションを行う手順とを有するプログラム。
【請求項８】
前記携帯端末装置が、前記標準画像を表す標準画像データを記憶する記憶手段と、前記調整情報に基づいて前記キャリブレーション条件を算出するキャリブレーション条件算出手段をさらに備えてなり、
前記標準画像を表示する手順は、前記記憶手段に記憶された標準画像データに基づいて前記標準画像データを表示する手順であり、
前記調整条件に基づいてキャリブレーション条件を算出する手順をさらに有する請求項７記載のプログラム。
【請求項９】
外部装置から送信された前記標準画像を表す標準画像データを受信する手順と、
前記調整条件を前記外部装置へ送信する手順と、
前記外部装置において算出された前記キャリブレーション条件を受信する手順とをさらに有する請求項７記載のプログラム。
【発明の詳細な説明】
【０００１】
【発明の属する技術分野】
本発明は、画像等を表示する液晶モニタ等の表示手段を備えたカメラ付き携帯電話やＰＤＡ等の携帯端末装置、および携帯端末装置のキャリブレーション方法並びにキャリブレーション方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データに対して画像処理を施し、さらに画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
【発明が解決しようとする課題】
上述した画像処理は、処理済み画像データを基準となるモニタに表示して一定の観察条件下において観察することを想定して、画像データに対して施される。このため、基準となるモニタに処理済み画像データを表示し、一定の観察条件下において表示された画像を観察すれば、最適な画質を有する画像を視認することができる。
【０００７】
しかしながら、カメラ付き携帯電話の液晶モニタは、機種や製造メーカによって表示特性が異なる。例えば、液晶モニタのバックライトの種類によって、白色を表示した場合にそれが赤みがかって見えたり、青みがかって見えたりする場合がある。また、階調も硬調気味に見えたり軟調気味に見えたりする場合もある。さらに、カメラ付き携帯電話を使用する場所も、そのユーザに応じて屋外が多かったり、屋内が多かったりするため、画像の観察条件もユーザに応じて多種多様である。
【０００８】
このため、画像処理が施された画像をそのままモニタに表示したのでは、画像処理が施されているにもかかわらず、表示された画像の画質を最適な状態で視認できない場合があるという問題がある。このため、カメラ付き携帯電話の機種毎に画像処理のための条件を変更することが考えられるが、上述したようにカメラ付き携帯電話における画像の観察条件やユーザの好みはユーザに応じて多種多様であるため、個々のユーザに応じた画像の観察条件やユーザの好みまで考慮して画像処理を行うことは非常に困難である。
【０００９】
本発明は上記事情に鑑みなされたものであり、カメラ付き携帯電話等の携帯端末装置にユーザの画像の観察条件やユーザの好みに応じた画質の画像を表示することを目的とする。
【００１０】
【課題を解決するための手段】
本発明による携帯端末装置は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
前記表示手段に画像表示の基準となる標準画像を表示し、該標準画像に対する画質の調整結果を表す調整情報を生成し、該調整情報に基づいて算出されたキャリブレーション条件に基づいて、前記表示手段のキャリブレーションを行うキャリブレーション手段をさらに備えたことを特徴とするものである。
【００１１】
調整情報は、キャリブレーションの基準となる標準画像にユーザが補正を施すことにより得られた補正標準画像や、標準画像に対して種々の画像処理を施すことにより得られた複数の補正標準画像からユーザにより選択された補正標準画像を用いることができる。
【００１２】
また、ここでいう「画像処理」とは画像データ自体に対して施す処理のみならず、表示手段の明るさや色のパラメータを変更することをも含むものである。
【００１３】
なお、本発明による携帯端末装置においては、前記標準画像を表す標準画像データを記憶する記憶手段と、
前記調整情報に基づいて前記キャリブレーション条件を算出するキャリブレーション条件算出手段とをさらに備えるようにしてもよい。
【００１４】
また、本発明による携帯端末装置においては、前記通信手段を、外部装置から送信された前記標準画像を表す標準画像データの受信、前記調整情報の前記外部装置への送信、該外部装置において算出された前記キャリブレーション条件を受信する手段としてもよい。
【００１５】
本発明による携帯端末装置のキャリブレーション方法は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置のキャリブレーション方法において、
前記表示手段に画像表示の基準となる標準画像を表示し、
該標準画像に対する画質の調整結果を表す調整情報を生成し、
該調整情報に基づいて算出されたキャリブレーション条件に基づいて、前記表示手段のキャリブレーションを行うことを特徴とするものである。
【００１６】
なお、本発明による携帯端末装置のキャリブレーション方法においては、前記携帯端末装置が、前記標準画像を表す標準画像データを記憶する記憶手段と、前記調整情報に基づいて前記キャリブレーション条件を算出するキャリブレーション条件算出手段をさらに備えてなる場合においては、
前記記憶手段に記憶された標準画像データに基づいて前記標準画像データを表示し、
前記調整条件に基づいてキャリブレーション条件を算出するようにすればよい。
【００１７】
また、本発明による携帯端末装置のキャリブレーション方法においては、外部装置から送信された前記標準画像を表す標準画像データを受信し、
前記調整条件を前記外部装置へ送信し、
前記外部装置において算出された前記キャリブレーション条件を受信するようにしてもよい。
【００１８】
なお、本発明による携帯端末装置のキャリブレーション方法をコンピュータに実行させるためのプログラムとして提供してもよい。
【００１９】
【発明の効果】
本発明によれば、表示手段に画像表示の基準となる標準画像が表示され、標準画像に対する画質の調整結果を表す調整情報が生成される。そして、調整情報に基づいて算出されたキャリブレーション条件に基づいて、表示手段のキャリブレーションが行われる。ここで、調整情報は、携帯端末装置のユーザの画像の観察条件やユーザの好みを反映させたものとなっている。このため、携帯端末装置のユーザの画像の観察条件やユーザの好みを反映させた表示手段のキャリブレーションを行うことができ、これにより、ユーザの画像の観察条件やユーザの好みに応じた画質の画像を表示手段に表示することができる。
【００２０】
また、携帯端末装置に標準画像を表す標準画像データを記憶する記憶手段と、調整情報に基づいてキャリブレーション条件を算出するキャリブレーション条件算出手段とを設けることにより、携帯端末装置において効率よく表示手段のキャリブレーションを行うことができる。
【００２１】
また、外部装置から送信された標準画像データを受信し、調整情報を外部装置へ送信し、外部装置において算出されたキャリブレーション条件を受信することにより、携帯端末装置において、標準画像データを記憶するための比較的容量の大きい記憶手段や、キャリブレーション条件を算出するための手段を備える必要がなくなるため、携帯端末装置の構成を簡易なものとすることができる。
【００２２】
【発明の実施の形態】
以下図面を参照して本発明の実施形態について説明する。図１は本発明の第１の実施形態による携帯端末装置を備えた画像処理システムの構成を示す概略ブロック図である。図１に示すように本実施形態による画像処理システムは、カメラ付き携帯電話１と、カメラ付き携帯電話１において取得された画像データＳ０に対して画像処理を施す画像サーバ２との間でデータのやり取りを行うものである。
【００２３】
カメラ付き携帯電話１は、撮影により画像データＳ０を取得するカメラ１１と、携帯電話通信網を介した通信により画像データＳ０等の送受信を行う通信手段１２と、画像データＳ０および後述する標準画像データＮ０等種々の情報を記憶するメモリ１３と、画像や電話番号等種々の表示を行う液晶モニタ１４と、液晶モニタ１４のキャリブレーションを行うためのキャリブレーション条件Ｃ０を算出するキャリブレーション条件算出手段１５と、キャリブレーション条件Ｃ０に基づいて液晶モニタ１４のキャリブレーションを行うキャリブレーション手段１６と、カメラ付き携帯電話１を制御するコントローラ１７とを備える。
【００２４】
なお、カメラ１１による撮影の操作、画像データＳ０の送受信の指示、キャリブレーション条件算出の指示等はカメラ付き携帯電話１に設けられた複数のボタンからなる入力手段１８により行われる。
【００２５】
これにより、カメラ付き携帯電話１のユーザは、カメラ１１を用いて撮影を行って画像データＳ０を取得し、取得された画像データＳ０を液晶モニタ１４に表示して待ち受け画面に設定したり、画像データＳ０を画像サーバ２に送信して画像処理を行ったり、取得された画像データＳ０を画像サーバ２経由で友人のカメラ付き携帯電話１へ送信したりすることができる。
【００２６】
キャリブレーション条件算出手段１５は、メモリ１３に記憶された標準画像データＮ０により表される標準画像を液晶モニタ１４に表示し、表示された標準画像をカメラ付き携帯電話１のユーザの好みの画質となるようにユーザに補正させることにより得られた補正標準画像を表す補正標準画像データＮ１に基づいて、液晶モニタ１４のキャリブレーション条件Ｃ０を算出する。具体的には、補正標準画像データＮ１と標準画像データＮ０との差異に基づいて、補正標準画像データＮ１に対してどの程度の補正がなされているかを検出することにより、補正標準画像と同様の画質を有する画像がキャリブレーション後の液晶モニタ１４において観察されるように、キャリブレーション条件Ｃ０を算出する。
【００２７】
ここで、キャリブレーション条件Ｃ０は、液晶モニタ１４のバックライトの色味、液晶モニタ１４の明るさおよび液晶モニタ１４の階調等を変更するための条件である。例えば、補正標準画像が標準画像よりも赤みを帯びている場合には、キャリブレーション条件算出手段１５は、液晶モニタ１４の赤みを強くするようにバックライトの色味を調整するキャリブレーション条件Ｃ０を算出する。また、補正標準画像が標準画像よりも明るい場合、あるいは階調が硬調化されている場合には、キャリブレーション条件算出手段１５は、液晶モニタ１４を明るくするあるいは階調を硬調化するようにバックライトや液晶モニタ１４を調整するキャリブレーション条件Ｃ０を算出する。
【００２８】
キャリブレーション手段１６は、キャリブレーション条件算出手段１５が算出したキャリブレーション条件Ｃ０に基づいて液晶モニタ１４のキャリブレーションを行う。
【００２９】
画像サーバ２は、画像データＳ０等、種々の情報の送受信を携帯電話通信網を介して行う通信手段２１と、画像データＳ０に対して画像処理を施して処理済み画像データＳ１を得る画像処理手段２２と、画像データＳ０等種々の情報を記憶するメモリ２３と、画像サーバ２の制御を行うコントローラ２４とを備える。
【００３０】
画像処理手段２２は、濃度補正処理、ホワイトバランス調整処理、階調変換処理、色補正処理、シャープネス処理等を画像データＳ０に対して施して処理済み画像データＳ１を得る。
【００３１】
次いで、第１の実施形態の動作について説明する。図２は第１の実施形態において行われるキャリブレーション処理を示すフローチャートである。まず、キャリブレーションの指示がなされたか否かが監視されており（ステップＳ１）、ステップＳ１が肯定されると標準画像データＮ０がメモリ１３から読み出されて液晶モニタ１４に表示される（ステップＳ２）。これにより、カメラ付き携帯電話１のユーザによる標準画像の補正が行われる。そして、補正が終了した旨の指示がなされたか否かの監視が開始され（ステップＳ３）、ステップＳ３が肯定されると補正標準画像を表す補正標準画像データＮ１が生成される（ステップＳ４）。
【００３２】
次いで、キャリブレーション条件算出手段１５において、補正標準画像データＮ１に基づいてキャリブレーション条件Ｃ０が算出される（ステップＳ５）。そして、キャリブレーション手段１６において、キャリブレーション条件Ｃ０に基づいて液晶モニタ１４のキャリブレーションが行われ（ステップＳ６）、キャリブレーション処理を終了する。
【００３３】
図３は、第１の実施形態における画像データＳ０の送受信処理を示すフローチャートである。まず、カメラ付き携帯電話１において、カメラ１１を用いて撮影が行われ、画像データＳ０が取得される（ステップＳ１１）。取得された画像データＳ０は通信手段１２により画像サーバ２に送信される（ステップＳ１２）。
【００３４】
送信された画像データＳ０は画像サーバ２の通信手段２１により受信される（ステップＳ１３）。そして、画像データＳ０に対して画像処理が施されて処理済み画像データＳ１が得られる（ステップＳ１４）。処理済み画像データＳ１は通信手段２１によりカメラ付き携帯電話１に送信される（ステップＳ１５）。
【００３５】
送信された処理済み画像データＳ１はカメラ付き携帯電話１の通信手段１２により受信され（ステップＳ１６）、メモリ１３に記憶され（ステップＳ１７）、さらに液晶モニタ１４に表示され（ステップＳ１８）、処理を終了する。
【００３６】
このように、第１の実施形態においては、液晶モニタ１４に画像表示の基準となる標準画像データＮ０を表示し、これに対してユーザが補正を行うことにより得られた、ユーザの画像の観察条件やユーザの好みを反映させた補正標準画像データＮ１に基づいてキャリブレーション条件Ｃ０を算出し、算出されたキャリブレーション条件Ｃ０に基づいて、液晶モニタ１４のキャリブレーションを行うようにしたため、カメラ付き携帯電話１のユーザの画像の観察条件やユーザの好みを反映させた液晶モニタ１４のキャリブレーションを行うことができ、これにより、ユーザの画像の観察条件やユーザの好みに応じた画質の画像を液晶モニタ１４に表示することができる。
【００３７】
また、カメラ付き携帯電話１のメモリ１３に標準画像を表す標準画像データＮ０を記憶し、さらにキャリブレーション条件Ｃ０を算出するキャリブレーション条件算出手段１５を設けているため、カメラ付き携帯電話１において効率よく液晶モニタ１４のキャリブレーションを行うことができる。
【００３８】
次いで、本発明の第２の実施形態について説明する。図４は、本発明の第２の実施形態による携帯端末装置を備えた画像処理システムの構成を示す概略ブロック図である。なお、第２の実施形態において第１の実施形態と同一の構成については同一の参照番号を付し、詳細な説明は省略する。第２の実施形態においては、画像サーバ２のメモリ２３に標準画像データＮ０を記憶するとともに、画像サーバ２にキャリブレーション条件算出手段２５を設け、カメラ付き携帯電話１におけるキャリブレーション条件算出手段１５を省略するとともに、メモリ１３に標準画像データＮ０を記憶しないようにした点が第１の実施形態と異なる。
【００３９】
次いで、第２の実施の形態の動作について説明する。図５は、第２の実施形態において行われるキャリブレーション処理を示すフローチャートである。まず、カメラ付き携帯電話１において、キャリブレーションの指示がなされたか否かが監視されており（ステップＳ２１）、ステップＳ２１が肯定されると、通信手段１２によりキャリブレーションの指示が画像サーバ２に送信される（ステップＳ２２）。
【００４０】
画像サーバ２においては、通信手段２１によりキャリブレーション指示が受信されたか否かが監視されており（ステップＳ２３）、ステップＳ２３が肯定されるとメモリ２３から標準画像データＮ０が読み出されて、通信手段２１によりカメラ付き携帯電話１に送信される（ステップＳ２４）。
【００４１】
カメラ付き携帯電話１においては、通信手段１２により標準画像データＮ０が受信され（ステップＳ２５）、液晶モニタ１４に表示される（ステップＳ２６）。これにより、カメラ付き携帯電話１のユーザによる標準画像の補正が行われる。そして、補正が終了した旨の指示がなされたか否かの監視が開始され（ステップＳ２７）、ステップＳ２７が肯定されると補正標準画像を表す補正標準画像データＮ１が生成される（ステップＳ２８）。補正標準画像データＮ１は通信手段１２により画像サーバ２に送信される（ステップＳ２９）。
【００４２】
画像サーバ２においては、通信手段２１により補正標準画像データＮ１が受信され（ステップＳ３０）、キャリブレーション条件算出手段２５において、補正標準画像データＮ１に基づいてキャリブレーション条件Ｃ０が算出される（ステップＳ３１）。キャリブレーション条件Ｃ０は通信手段２１によりカメラ付き携帯電話１に送信される（ステップＳ３２）。
【００４３】
カメラ付き携帯電話１においては通信手段１２によりキャリブレーション条件Ｃ０が受信され（ステップＳ３３）、キャリブレーション手段１６において、キャリブレーション条件Ｃ０に基づいて液晶モニタ１４のキャリブレーションが行われ（ステップＳ３４）、処理を終了する。
【００４４】
このように、第２の実施形態においては、画像サーバ２に標準画像データＮ０を記憶しておき、カメラ付き携帯電話１において標準画像データＮ０を受信し、カメラ付き携帯電話１において標準画像データＮ０を補正して補正標準画像データＮ１を得、これを画像サーバ２に送信して画像サーバ２において補正標準画像データＮ１に基づいてキャリブレーション条件Ｃ０を算出するようにしたものである。このため、カメラ付き携帯電話１において、標準画像データＮ０を記憶するための比較的容量の大きなメモリや、キャリブレーション算出手段１５を設ける必要がなくなるため、カメラ付き携帯電話１の構成を簡易なものとすることができる。
【００４５】
なお、上記第１および第２の実施形態においては、標準画像データＮ０をカメラ付き携帯電話１の液晶モニタ１４に表示し、これをユーザに補正させることにより補正標準画像データＮ１を得、これに基づいてキャリブレーション条件Ｃ０を算出しているが、標準画像データＮ０に対して異なる画像処理を施した複数の補正標準画像データを液晶モニタ１４に表示し、液晶モニタ１４に表示された複数の補正標準画像からユーザに所望とする補正標準画像を選択させ、選択された補正標準画像を表す補正標準画像データと標準画像データＮ０との差異に基づいてキャリブレーション条件Ｃ０を算出するようにしてもよい。
【００４６】
また、上記第１および第２の実施形態においては、カメラ付き携帯電話１のキャリブレーションを行っているが、ＰＤＡ等のモニタを有する携帯端末装置であれば本発明によるキャリブレーション方法を適用することができるものである。
【図面の簡単な説明】
【図１】本発明の第１の実施形態による携帯端末装置を備えた画像処理システムの構成を示す概略ブロック図
【図２】第１の実施形態において行われるキャリブレーション処理を示すフローチャート
【図３】第１の実施形態において行われる画像データの送受信処理を示すフローチャート
【図４】本発明の第２の実施形態による携帯端末装置を備えた画像処理システムの構成を示す概略ブロック図
【図５】第２の実施形態において行われるキャリブレーション処理を示すフローチャート
【符号の説明】
１　　カメラ付き携帯電話
２　　画像サーバ
１１　　カメラ
１２，２１　　通信手段
１３，２３　　メモリ
１４　　液晶モニタ
１５，２５　　キャリブレーション条件算出手段
１６　　キャリブレーション手段
１７，２４　　コントローラ
１８　　入力手段
２２　　画像処理手段
【図１】
2004120396.tif 000003
【図２】
2004120396.tif 000004
【図３】
2004120396.tif 000005
【図４】
2004120396.tif 000006
【図５】
2004120396.tif 000007